(57)【要約】【課題】照明装置等の電気機器に用いられる電源装置において、安全に電源回路を造営材に取り付ける。【解決手段】電源装置用ケース６は、電源回路３を搭載するベース部４と、ベース部４に被せられるカバー部５と、を備える。カバー部５は、ベース部４において電源回路３が搭載される搭載面４１と電源回路３が取り付けられる取付面Ｍとを互いに離間させた状態でベース部４を着脱可能に保持する保持部７と、取付面Ｍに向かって延設された脚部８と、を有する。この構成によれば、電源装置用ケース６によって電源回路３が取付面Ｍから離間された状態で保持されるので、電源回路３と造営材との間に距離を確保して、安全に電源回路３を造営材に取り付けることができる。【選択図】図４
2014176205.tif 000002
【特許請求の範囲】
【請求項１】
電源回路を搭載するベース部と、前記ベース部に被せられるカバー部と、を備えた電源装置用ケースであって、
前記カバー部は、前記ベース部において前記電源回路が搭載される搭載面と前記電源回路が取り付けられる取付面とを互いに離間させた状態で前記ベース部を着脱可能に保持する保持部と、前記カバー部の周縁から前記取付面に向かって延設された脚部と、を有することを特徴とする電源装置用ケース。
【請求項２】
前記保持部は、前記カバー部の周縁から前記脚部が伸びる方向と直交する外方に向かって延設され、前記ベース部から前記保持部が伸びる方向と同じ方向に延設された被保持部と係合することを特徴とする請求項１に記載の電源装置用ケース。
【請求項３】
前記保持部は、複数設けられ、前記取付面に直交する方向からを見たときに前記カバー部の中心に対して非対称に配置されていることを特徴とする請求項１又は請求項２に記載の電源装置用ケース。
【請求項４】
前記カバー部は、前記取付面に直交する方向から見たときに長尺な形状とされ、
前記脚部は、前記カバー部の長手方向における両端部にそれぞれ設けられていることを特徴とする請求項１乃至請求項３のいずれか一項に記載の電源装置用ケース。
【請求項５】
前記カバー部は、前記取付面に直交する方向から見たときに長尺な形状とされ、
前記脚部は、前記カバー部の短手方向における両端部にそれぞれ設けられていることを特徴とする請求項１乃至請求項３のいずれか一項に記載の電源装置用ケース。
【請求項６】
前記カバー部は、前記取付面に直交する方向から見たときに前記カバー部の中心を回転軸とした回転対称体となっていることを特徴とする請求項１乃至請求項３のいずれか一項に記載の電源装置用ケース。
【請求項７】
請求項１乃至請求項６のいずれか一項に記載の電源装置用ケースと、前記電源回路としてＬＥＤ又は有機ＥＬ発光パネルを駆動するための定電流電源回路と、を備えたことを特徴とする電源装置。
【請求項８】
請求項１乃至請求項６のいずれか一項に記載の電源装置用ケースと、前記電源回路としてＬＥＤモジュール又は有機ＥＬ発光パネルモジュールを駆動するための定電圧電源回路と、を備えたことを特徴とする電源装置。
【発明の詳細な説明】
【技術分野】
【０００１】
本発明は、照明装置等の電気機器に用いられる電源装置及び同電源装置に用いる電源装置用ケースに関する。
【背景技術】
【０００２】
従来から、照明装置に用いられる点灯装置（電源装置）として、電源回路を収納する金属ケース（ベース部）と、このベース部を被覆するカバー部と、を備えたものが知られている（例えば、特許文献１参照）。ベース部は、箱型形状とされ、その内底面に電源回路を収納し、その外底面を介して照明装置の内部に取り付けられる。
【０００３】
ところで、近年、白熱灯や蛍光灯に代わる照明用光源としてＬＥＤが普及している。ＬＥＤは、光源として白熱灯や蛍光灯よりも小型であり、照明装置に組み込まれるだけでなく、天井、壁又は棚等の造営材に組み込まれることがある。このように、光源の設置条件は多様化しており、光源を点灯させるための電源装置もまた、照明装置内に収容されるだけでなく造営材に直接に取り付けられることがある。
【先行技術文献】
【特許文献】
【０００４】
【特許文献１】特開２００６−３３１８５７号公報
【発明の概要】
【発明が解決しようとする課題】
【０００５】
しかしながら、電源装置を造営材に直接に取り付ける場合には、電源回路において発生した熱が造営材に伝熱されるのを防止するために、電源装置が取り付けられる取付面と電源回路との間に１０ｍｍ以上の距離を確保する必要がある。ところが、上記特許文献１に記載されたような電源装置では、電源回路を収納したベース部が取付面に直付けされるので、電源回路と造営材との間に十分な距離を確保することができず、安全に電源回路を造営材に取り付けることができない。
【０００６】
本発明は、上記課題を解決するものであって、安全に電源回路を造営材に取り付けることができる電源装置及びそれに用いる電源装置用ケースを提供することを目的とする。
【課題を解決するための手段】
【０００７】
本発明の電源装置用ケースは、電源回路を搭載するベース部と、前記ベース部に被せられるカバー部と、を備え、前記カバー部は、前記ベース部において前記電源回路が搭載される搭載面と前記電源回路が取り付けられる取付面とを互いに離間させた状態で前記ベース部を着脱可能に保持する保持部と、前記カバー部の周縁から前記取付面に向かって延設された脚部と、を有することを特徴とする。
【０００８】
前記保持部は、前記カバー部の周縁から前記脚部が伸びる方向と直交する外方に向かって延設され、前記ベース部から前記保持部が伸びる方向と同じ方向に延設された被保持部と係合することが好ましい。
【０００９】
前記保持部は、複数設けられ、前記取付面に直交する方向からを見たときに前記カバー部の中心に対して非対称に配置されていることが好ましい。
【００１０】
前記カバー部は、前記取付面に直交する方向から見たときに長尺な形状とされ、前記脚部は、前記カバー部の長手方向における両端部にそれぞれ設けられていることが好ましい。
【００１１】
前記カバー部は、前記取付面に直交する方向から見たときに長尺な形状とされ、前記脚部は、前記カバー部の短手方向における両端部にそれぞれ設けられていることが好ましい。
【００１２】
前記カバー部は、前記取付面に直交する方向から見たときに前記カバー部の中心を回転軸とした回転対称体となっていることが好ましい。
【００１３】
本発明の電源装置は、上記の電源装置用ケースと、前記電源回路としてＬＥＤ又は有機ＥＬ発光パネルを駆動するための定電流電源回路と、を備えたことを特徴とする。
【００１４】
本発明の電源装置は、上記の電源装置用ケースと、前記電源回路としてＬＥＤモジュール又は有機ＥＬ発光パネルモジュールを駆動するための定電圧電源回路と、を備えたことを特徴とする。
【発明の効果】
【００１５】
本発明によれば、電源装置用ケースによって電源回路が取付面から離間された状態で保持されるので、電源回路と造営材との間に距離を確保して、安全に電源回路を造営材に取り付けることができる。
【図面の簡単な説明】
【００１６】
【図１】（ａ）（ｂ）は、本発明の実施形態に係る電源装置を用いた照明装置の回路図の一例。
【図２】（ａ）は上記電源装置の分解斜視図、（ｂ）は同電源装置を（ａ）と同じ方向から見た斜視図。
【図３】（ａ）は上記電源装置を図２とは異なる方向から見た分解斜視図、（ｂ）は同電源装置を（ａ）と同じ方向から見た斜視図。
【図４】（ａ）は上記電源装置を造営材に取り付けた場合の断面図、（ｂ）は電源装置用ケースを装着せずに電源回路を電気機器の内部に取り付けた場合の断面図。
【図５】上記実施形態の変形例に係る電源装置を造営材に取り付けた場合の断面図、（ｂ）は電源装置用ケースを装着せずに電源回路を電気機器の内部に取り付けた場合の断面図。
【図６】（ａ）は上記実施形態の他の変形例に係る電源装置を構成する電源装置用ケース及びベース部の平面図、（ｂ）は同電源装置用ケースを同ベース部に正しい向きで装着したときの平面図、（ｃ）は同電源装置用ケースを同ベース部に誤った向きで装着したときの平面図。
【図７】上記実施形態の更に他の変形例に係る電源装置を構成する電源装置用ケースの斜視図。
【図８】上記実施形態の更に他の変形例に係る電源装置の分解斜視図。
【図９】上記電源装置において電源装置用ケースに対してベース部を６０°回転させたときの様子を示す斜視図。
【図１０】上記実施形態の更に他の変形例に係る電源装置の斜視図。
【発明を実施するための形態】
【００１７】
本発明の実施形態に係る電源装置について図１乃至図４を参照して説明する。図１（ａ）に示すように、電源装置１は、例えば、発光部２を備えた照明装置に外部商用電源から定電流を供給する電源装置とされる。発光部２は、互いに直列に接続された複数の発光素子２１を有し、これら発光素子２１は、例えば、ＬＥＤや有機ＥＬ発光パネルにより構成される。このような照明装置では、電源装置１の構成が単純であるので照明装置全体として容易に高効率化することができる。
【００１８】
また、図１（ｂ）に示す別の例では、電源装置１は、互いに並列に接続された複数の発光モジュール２２に定電圧を供給する電源装置とされる。各々の発光モジュール２２は、上述した発光素子２１と、発光素子２１を駆動するための駆動用電源２３と、を有する。駆動用電源２３は、発光素子２１に定電流を供給するための電源及び制御回路を備える。このような照明装置では、各々の発光モジュール２２毎に発光素子２１を駆動制御するので、電源装置１の設計が容易となる。また、１つの発光モジュール２２が故障しても他の発光モジュール２２の発光が影響されない等、各々の発光モジュール２２の変動が与える照明装置全体への悪影響を低減することができる。
【００１９】
図２及び図３に示すように、上述した電源装置１は、電源回路３と、電源回路３を搭載するベース部４及びベース部４に被せられるカバー部５（図２（ａ）においてドットで示す）を有する電源装置用ケース６と、を備える。なお、図２及び図３は、電源装置１を互いに反対側の方向から見たものである。
【００２０】
電源回路３は、電子部品を実装した配線基板３１と、外部商用電源からの入力線（不図示）が接続される入力端子台３２と、配線基板３１と入力端子台３２とを接続する中継線３３と、配線基板３１から導出された出力線３４と、を有する。
【００２１】
ベース部４は、導電性金属材料により構成され、例えば、アルミニウムにより構成される。ベース部４は、一面が開口した矩形の箱型形状とされ、その外底面が電源回路３を取り付けるための取付面Ｍと相対するようにして照明装置（電気機器）の内部や造営材に配置される。また、ベース部４は、その内底面に配線基板３１が搭載される搭載面４１を有し、その外周面に入力端子台３２がネジ止めされる端子台取付部４２を有する。配線基板３１は、搭載面４１に金属ネジ（不図示）によりネジ止めされ、この金属ネジは、配線基板３１のアースも兼ねている。また、ベース部４は、その側面に中継線３３及び出力線３４の各々を通すためのスリット４３、４４を有する。ベース部４は、取付面Ｍに直交する方向Ｄから見たときに一の方向に長尺となった長尺形状とされ、以下の説明では、ベース部４の長手方向に沿った方向を長手方向といい、ベース部４の短手方向に沿った方向を短手方向という。
【００２２】
カバー部５は、例えば、アルミニウムにより構成された矩形の箱型形状とされ、ベース部４の開口を塞ぐようにしてベース部４を被覆している。カバー部５は、ベース部４を着脱可能に保持するための保持部７と、カバー部５の周縁５１から取付面Ｍに向かって延設された脚部８と、カバー部５の一側面から外方に向かって立設され電源回路３の入力端子台３２を保護する保護部５２と、を有する。
【００２３】
保持部７は、カバー部５の長手方向における両端部の各々において、カバー部５の周縁５１の中央から脚部８が伸びる方向と直交する外方に向かって延設されている。各々の保持部７は、ベース部４の底面から保持部７が伸びる方向と同じ方向に延設された被保持部４５と係合する。保持部７及び被保持部４５は、それぞれネジ穴７１、４６を有し、これらネジ穴７１、４６を介してネジ９により互いに螺合される。
【００２４】
脚部８は、カバー部５の長手方向における両端部の各々に、それぞれ２つずつ設けられている。各々の脚部８は、カバー部５の周縁５１から取付面Ｍに向かって伸びる伸長部８１と、伸長部８１の端部から伸長部８１と直交する外方に向かって伸び取付面Ｍに当接される当接部８２と、を有する。伸長部８１の長さは、１０ｍｍ以上とされる。当接部８２は、自身に設けられたネジ穴８３を介してネジ９により取付面Ｍにネジ止めされる。脚部８は、カバー部５と同じ材料により構成される。なお、脚部８は、カバー部５の周縁５１の全幅に亘って形成されていてもよい。
【００２５】
上記のように構成された電源装置１を造営材に取り付ける場合について図４（ａ）を参照して説明する。この場合、被保持部４５に保持部７をネジ９でネジ止めすることでカバー部５をベース部４に装着し、脚部８を取付面Ｍにネジ９でネジ止めする。これにより、電源回路３を搭載するベース部４の搭載面４１が、取付面Ｍから離間された状態で配置される。
【００２６】
一方、電源回路３を電気機器の内部に取り付ける場合には、図４（ｂ）に示すように、カバー部５をベース部４に装着せずに、被保持部４５を取付面Ｍにネジ９でネジ止めすることでベース部４を取付面Ｍに取り付ける。
【００２７】
本実施形態の電源装置１によれば、電源回路３を造営材に取り付ける場合には、カバー部５をベース部４に装着して電源回路３と造営材との間に距離を確保することで、安全に電源回路３を造営材に取り付けることができる。一方、電源回路３を電気機器の内部に取り付ける場合には、カバー部５をベース部４に装着せずベース部４を機器内部に直付けすることで、機器の大型化を引き起こすことなく電源回路３を機器内部に取り付けることができる。このように、１つの電源装置１で造営材への取り付けと電気機器内部への取り付けの両方に対応することができるので、電源装置１の汎用性を高めることができる。
【００２８】
また、脚部８をカバー部５の長手方向端部に設けることで、脚部８をカバー部５の短手方向端部に設ける場合（後述する図７参照）に比べて、脚部８を構成する材料の使用量を減らすことができる。
【００２９】
次に、上記実施形態の変形例に係る電源装置について図５（ａ）（ｂ）を参照して説明する。電源装置１１では、ベース部４の開口を塞ぐように平板状の蓋４７が設けられ、この蓋４７の内側面が電源回路３を搭載するための搭載面４１となっている。このようにすることで、電源回路３と造営材の取付面Ｍ又は電気機器内部の取付面Ｍとの間の距離をより大きくすることができるので、電源回路３で発生した熱の造営材又は電気機器への伝熱を低減することができる。
【００３０】
次に、上記実施形態の他の変形例に係る電源装置について図６（ａ）乃至（ｃ）を参照して説明する。図６（ａ）に示すように、電源装置１２では、複数の保持部７が設けられ、図例では２つの保持部７ａ、７ｂが設けられている。これら保持部７ａ、７ｂは、カバー部５を取付面Ｍに直交する方向（図面において手前側から奥側に向かう方向）から見たときにカバー部５の中心Ｃに対して非対称に配置され、図例では中心Ｃを通って長手方向に伸びる直線Ｌの片側に共に配置されている。また、ベース部４の被保持部４５は、保持部７ａ、７ｂの各々に対応する位置に設けられた被保持部４５ａ、４５ｂにより構成されている。なお、電源装置１２では、電源回路３の図示を省略している。
【００３１】
図６（ｂ）に示すように、カバー部５をベース部４に対して正しい向きで装着した場合には、保持部７ａ、７ｂと被保持部４５ａ、４５ｂとがそれぞれ互いに係合し、カバー部５とベース部４とをネジ９（不図示）により互いにネジ止めすることができる。これに対して、図６（ｃ）に示すように、カバー部５をベース部４に対して逆向きに装着した場合には、保持部７ａ、７ｂと被保持部４５ａ、４５ｂとがそれぞれ互いに係合せず、カバー部５とベース部４とを互いにネジ止めすることができない。このように、保持部７ａ、７ｂを中心Ｃに対して非対称に配置することで、カバー部５のベース部４への誤った向きでの装着を防止することができる。
【００３２】
次に、上記実施形態の更に他の変形例に係る電源装置を構成するカバーについて図７を参照して説明する。本変形例のカバー部５では、脚部８が、カバー部５の短手方向における両端部の各々において、カバー部５の周縁５１の全幅に亘って設けられている。このようにすることで、脚部８と取付面Ｍとの接触面積がより大きくなるので、カバー部５の取付面Ｍへの取付強度を高くすることができる。
【００３３】
次に、上記実施形態の更に他の変形例に係る電源装置について図８及び図９を参照して説明する。図８に示すように、電源装置１３では、取付面Ｍに直交する方向Ｄから見たときに、カバー部５及びベース部４が、各々の中心Ｃを回転軸とした回転対称体とされ、図例では、共に六角形状とされている。脚部８は、カバー部５の互いに対向する側面の各々に設けられている。ベース部４は、互いに対向する六角形の頂部にそれぞれスリット４３、４４を有する。また、カバー部５及びベース部４は、それぞれの各側面にネジ穴７１（保持部７）及びネジ穴４６（被保持部４５）を有し、ネジ９（図９参照）により互いに螺合される。
【００３４】
図９に示すように、電源装置１３では、カバー部５に対してベース部４を６０°ずつ回転させることで、電源装置１３を取り付ける場所に応じて、出力線３４及び外部商用電源からの入力線（不図示）の位置を変更することができる。なお、カバー部５及びベース部４の形状は、六角形状に限定されず相似形状の回転対称体であればよく、例えば、図１０に示すように、方向Ｄから見たときに共に円形状とされていてもよい。
【００３５】
なお、本発明に係る電源装置及び電源装置用ケースは、上記実施形態及びその変形例に限定されず、種々の変形が可能である。例えば、カバー部のベース部への装着は、上記のようなネジ止めによるものに限定されず、カバー部に凸部を設け、この凸部に対応する位置のベース部に凹部を設け、これら凸部及び凹部を互いに嵌合させることで成されてもよい。
【符号の説明】
【００３６】
１、１１、１２、１３  電源装置
２１  発光素子（ＬＥＤ又は有機ＥＬ発光パネル）
２２  発光モジュール（ＬＥＤモジュール又は有機ＥＬ発光パネルモジュール）
３  電源回路
４  ベース部
４１  搭載面
４５  被保持部
５  カバー部
５１  （カバー部の）周縁
６  電源装置用ケース
７  保持部
８  脚部
Ｃ  カバー部の中心
Ｄ  取付面に直交する方向
Ｍ  取付面
【図１】
2014176205.tif 000003
【図２】
2014176205.tif 000004
【図３】
2014176205.tif 000005
【図４】
2014176205.tif 000006
【図５】
2014176205.tif 000007
【図６】
2014176205.tif 000008
【図７】
2014176205.tif 000009
【図８】
2014176205.tif 000010
【図９】
2014176205.tif 000011
【図１０】
2014176205.tif 000012